(57)【特許請求の範囲】
【請求項１】
２つの支持面を押圧することで支持される照明装置であって、
長尺状の筐体と、
前記筐体に設けられた、照明光を発する光源と、
前記光源の点灯及び消灯を切り替えるスイッチとを備え、
前記筐体は、
長手方向に伸縮可能な本体部と、
前記本体部の長手方向の両端にそれぞれ設けられ、前記２つの支持面のそれぞれを押圧する２つの押圧部とを備え、
前記本体部は、
第１筒状部と、
前記第１筒状部より細く、前記第１筒状部の内部に挿入される第２筒状部とを備え、
前記光源は、前記第１筒状部の内面に固定されている
照明装置。
【請求項２】
前記照明装置には、電池が取付可能であり、
前記光源は、前記照明装置に取り付けられた電池から電力が供給されることで、前記照明光を発する
請求項１に記載の照明装置。
【請求項３】
前記照明装置は、さらに、前記光源から発せられる照明光を所定の方向に出射する光出射部を備える
請求項１又は２に記載の照明装置。
【請求項４】
前記光源は、前記長手方向に沿ってライン状に前記照明光を発する
請求項１〜３のいずれか１項に記載の照明装置。
【発明の詳細な説明】
【技術分野】
【０００１】
本発明は、照明装置に関する。
【背景技術】
【０００２】
従来、様々な照明装置が開発されている。照明装置には、大きく分けて、シーリングライトなどの予め決められた設置場所に設置される固定式の照明装置と、懐中電灯などの持ち運び可能な携帯型の照明装置とがある（例えば、特許文献１及び２参照）。
【先行技術文献】
【特許文献】
【０００３】
【特許文献１】特開２０１２−２０４２１７号公報
【特許文献２】特開２０１０−７３３３４号公報
【発明の概要】
【発明が解決しようとする課題】
【０００４】
しかしながら、上記従来の照明装置では、空間の照明設計の自由度が低いという課題がある。
【０００５】
例えば、固定式の照明装置では、予め定められた設置場所にしか設置することができない。このため、一度設計した照明状態を変更する場合には、大掛かりな工事などが必要となり、また、手軽に照明設計を変更するのが困難である。
【０００６】
また、携帯型の照明装置では、当該照明装置を人物が把持することを前提とされており、照明設計に用いるには不便である。例えば、所定の場所で所定の方向を向けて照明させたい場合であっても、照明装置を固定することができずに所望の照明設計を実現することができない。
【０００７】
そこで、本発明は、空間の照明設計の自由度を高めることができる照明装置を提供することを目的とする。
【課題を解決するための手段】
【０００８】
上記目的を達成するため、本発明の一態様に係る照明装置は、２つの支持面を押圧することで支持される照明装置であって、長尺状の筐体と、前記筐体に設けられた、照明光を発する光源と、前記光源の点灯及び消灯を切り替えるスイッチとを備え、前記筐体は、長手方向に伸縮可能な本体部と、前記本体部の長手方向の両端にそれぞれ設けられ、前記２つの支持面のそれぞれを押圧する２つの押圧部とを備える。
【発明の効果】
【０００９】
本発明によれば、空間の照明設計の自由度を高めることができる。
【図面の簡単な説明】
【００１０】
【図１】本発明の実施の形態に係る照明装置の概観図である。
【図２】本発明の実施の形態に係る照明装置の断面図である。
【図３】本発明の実施の形態に係る照明装置の機能構成を示すブロック図である。
【図４】本発明の実施の形態に係る照明装置の設置方法を示す図である。
【図５】本発明の実施の形態に係る照明装置の使用例を示す図である。
【図６】本発明の実施の形態に係る照明装置の別の使用例を示す図である。
【図７】本発明の実施の形態に係る照明装置の別の使用例を示す図である。
【発明を実施するための形態】
【００１１】
以下では、本発明の実施の形態に係る照明装置について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態）
［照明装置］
まず、本実施の形態に係る照明装置の構成について、図１及び図２を用いて説明する。図１は、本実施の形態に係る照明装置１の概観図である。図２は、本実施の形態に係る照明装置１の断面図であり、図１に示すＡ−Ａ線における断面を示している。
【００１４】
本実施の形態に係る照明装置１は、２つの支持面を押圧することで支持される照明装置である。２つの支持面は、具体的には、互いに対向する面であり、例えば、建材又は家具などの側面（壁面）である。本実施の形態では、照明装置１は、長尺状の棒であり、２つの支持面の間につっぱることで、当該２つの支持面の間に支持される。つまり、照明装置１は、簡単に言うと、光るつっぱり棒である。
【００１５】
したがって、本実施の形態に係る照明装置１は、持ち運び可能で、かつ、所定の支持面の間に固定することが可能である。例えば、壁と壁との間の色々な場所に照明装置１を固定することができる。
【００１６】
図１及び図２に示すように、照明装置１は、筐体１０と、光源２０と、スイッチ３０とを備える。また、照明装置１には、電池４０が取付可能である。
【００１７】
以下、各構成部材について、詳細を説明する。
【００１８】
［筐体］
筐体１０は、本実施の形態に係る照明装置１の外囲器であり、長尺状の筐体である。図１に示すように、筐体１０は、本体部１１と、第１押圧部１２と、第２押圧部１３とを備える。
【００１９】
本体部１１は、長手方向に伸縮可能である。具体的には、本体部１１は、伸縮可能な棒状部材であり、長手方向に伸縮して所定の長さで固定することができる。本実施の形態では、図１に示すように、本体部１１は、第１筒状部１１０と、第２筒状部１２０と、固定部１３０とを備える。
【００２０】
第１筒状部１１０は、長尺状の略円筒である。第１筒状部１１０の長手方向の一方の端部には、第２押圧部１３が設けられ、他方の端部には、固定部１３０が設けられている。また、第１筒状部１１０の外側面には、スイッチ３０が設けられている。さらに、第１筒状部１１０は、内部に電池４０を着脱可能に備える。
【００２１】
第１筒状部１１０は、例えば、ＰＢＴ（ポリブチレンテレフタレート）などの絶縁性樹脂材料を用いた射出成形により作製される。あるいは、第１筒状部１１０は、アルミニウムなどの金属材料から形成されてもよい。
【００２２】
図２に示すように、第１筒状部１１０の内部には、光源２０が設けられている。ＰＢＴ又は金属材料は遮光性を有するので、第１筒状部１１０には、光源２０からの光を取り出すための光出射部１１１が設けられている。言い換えると、第１筒状部１１０は、光源２０からの光の取り出し方向を所定の方向に制限している。
【００２３】
これにより、光源２０から発せられた光のうち、光出射部１１１を通過した光のみが外部に取り出される。つまり、本実施の形態に係る照明装置１が照射する光は、指向性を有し、所定の領域を集中的に照らすことができる。例えば、光の取り出し角（図２に示す照射範囲）は、約６０度である。
【００２４】
光出射部１１１は、例えば、透光性樹脂材料から形成される。具体的には、光出射部１１１は、第１筒状部１１０の光源２０からの光の出射方向に形成された開口を覆うように設けられたカバーである。開口は、例えば、第１筒状部１１０の長手方向に沿って形成されたスリット状の開口である。
【００２５】
あるいは、光出射部１１１は、第１筒状部１１０に形成されたスリット状の開口そのものでもよい。すなわち、スリット状の開口は、カバーで覆われていなくてもよい。
【００２６】
光出射部１１１は、第１筒状部１１０の長手方向に沿って設けられる。具体的には、光出射部１１１の側面視形状は、第１筒状部１１０の長手方向に長い長方形である。これにより、照明装置１は、ライン状に光を照射することができる。あるいは、光出射部１１１は、略矩形若しくは略円形の複数の開口、又は、当該複数の開口を覆う複数のカバーであってもよい。複数の開口又は複数のカバーは、長手方向に沿って離散的に設けられていてもよい。
【００２７】
なお、第１筒状部１１０を透光性樹脂材料から形成することもできる。この場合は、光の出射方向を制限するために、例えば、光源２０からの光を透過させる領域を除いて、第１筒状部１１０の外側面に遮光性の塗料などが塗布される。このとき、光出射部１１１は、第１筒状部１１０の一部であって、外側面に遮光性塗料が塗布されていない部分である。
【００２８】
第２筒状部１２０は、第１筒状部１１０より細い長尺状の略円筒である。第２筒状部１２０の長手方向の一方の端部には、第１押圧部１２が設けられ、他方の端部には、固定部１３０が設けられている。
【００２９】
図２に示すように、第２筒状部１２０は、第１筒状部１１０の内部に挿入可能である。第２筒状部１２０が第１筒状部１１０に深く挿入された場合に、照明装置１の長さは短くなり、第２筒状部１２０が第１筒状部１１０に浅く挿入された場合に、照明装置１の長さが長くなる。つまり、第２筒状部１２０の第１筒状部１１０への挿入量を調節することで、照明装置１の長さを調節することができる。
【００３０】
第２筒状部１２０は、例えば、第１筒状部１１０と同じ材料から形成することができる。
【００３１】
固定部１３０は、第１筒状部１１０と第２筒状部１２０とを固定するための部材である。固定部１３０は、略円筒である。固定部１３０の一方の端部には、第１筒状部１１０が挿入され、他方の端部には、第２筒状部１２０が挿入される。固定部１３０は、例えば、第１筒状部１１０に固定されている。
【００３２】
固定部１３０は、略円筒の軸を中心に回転させることができる。固定部１３０を所定の方向（第１方向）に回転させることで、固定部１３０は、第２筒状部１２０を締め付ける。これにより、第２筒状部１２０の長手方向への移動を規制し、第１筒状部１１０と第２筒状部１２０とを固定することができる。
【００３３】
固定部１３０を、第１方向とは反対の方向（第２方向）に回転させることで、第２筒状部１２０の締め付けを解放し、第２筒状部１２０の第１筒状部１１０に対する出し入れを行うことができる。これにより、照明装置１は、長手方向に伸縮可能になる。
【００３４】
固定部１３０は、例えば、第１筒状部１１０と同じ材料から形成することができる。
【００３５】
第１押圧部１２及び第２押圧部１３は、本体部１１の長手方向の両端に設けられて、２つの支持面のそれぞれを押圧する。本実施の形態では、第１押圧部１２は、第２筒状部１２０の、固定部１３０とは反対側の端部に設けられている。第２押圧部１３は、第１筒状部１１０の、固定部１３０とは反対側の端部に設けられている。
【００３６】
第１押圧部１２及び第２押圧部１３はそれぞれ、有底筒体である。第１押圧部１２の底及び第２押圧部１３の底がそれぞれ、２つの支持面の各々を押圧する押圧面である。第１押圧部１２及び第２押圧部１３がそれぞれ、２つの支持面を押圧することで、支持面と押圧面との間に摩擦力が発生する。当該摩擦力により、照明装置１がずれ落ちるのを抑制し、２つの支持面の間に照明装置１は支持される。
【００３７】
第１押圧部１２及び第２押圧部１３のそれぞれは、円錐台状の有底筒体であり、底（押圧面）に向かって漸次外径が大きくなるように形成されている。これにより、押圧面の面積を大きくすることができるので、支持面との接触面積を大きくすることができる。したがって、支持面と押圧面との間の摩擦力を大きくすることができ、照明装置１がずれ落ちるのをさらに抑制することができる。
【００３８】
第１押圧部１２及び第２押圧部１３は、例えば、第１筒状部１１０と同じ材料から形成することができる。あるいは、第１押圧部１２及び第２押圧部１３は、ゴムなどの弾性を有する材料から形成してもよい。これにより、支持面と押圧面との間の摩擦力を大きくすることができ、照明装置１がずれ落ちるのをさらに抑制することができる。
【００３９】
［光源］
光源２０は、照明装置１の光源であり、筐体１０に設けられて、照明光を発する。光源２０は、例えば、発光素子を有する発光モジュールであり、白色などの所定の色（波長）の可視光を照明光として放出する。
【００４０】
光源２０は、筐体１０の内部に配置される。光源２０は、図２に示すように、発光素子２１と、発光素子２１が実装された基板２２とを備える。本実施の形態では、光源２０は、ＳＭＤ（Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子が用いられた発光モジュールである。なお、光源２０は、基板２２にＬＥＤのベアチップが直接実装されたＣＯＢ（Ｃｈｉｐ  Ｏｎ  Ｂｏａｒｄ）型の発光モジュールでもよい。
【００４１】
発光素子２１は、ＳＭＤ型のＬＥＤ素子である。具体的には、発光素子２１は、樹脂成形された容器２１ｃのキャビティの中にＬＥＤチップ２１ａが実装され、当該キャビティ内に蛍光体含有樹脂２１ｂが封入されたパッケージ型のＬＥＤ素子である。
【００４２】
基板２２としては、例えば、セラミック基板、樹脂基板又はメタルベース基板を用いることができる。基板２２の形状は、例えば、長尺状の矩形であるが、いかなるものでもよい。
【００４３】
基板２２は、その長手方向が筐体１０の長手方向に略一致するように、第１筒状部１１０の内面に接着剤２３によって固定されている。接着剤２３は、例えば、シリコーン樹脂などである。このとき、例えば、基板２２の長手方向に沿って、複数の発光素子２１がライン状に配置されている。これにより、第１筒状部１１０の長手方向に沿って、ライン状に光を取り出すことができる。
【００４４】
第１筒状部１１０には、上述したように、第２筒状部１２０が挿入される空間が必要である。このため、図２に示すように、光源２０は、第１筒状部１１０の中心（軸）よりも光出射部１１１に近い部分に設けられている。
【００４５】
［スイッチ］
スイッチ３０は、光源２０の点灯及び消灯を切り替えるスイッチである。ユーザによるスイッチ３０の操作に基づいて、スイッチ３０は、光源２０の点灯及び消灯を切り替える。なお、スイッチ３０は、点灯及び消灯に限らず、光源２０の調光及び調色を操作してもよい。
【００４６】
本実施の形態では、スイッチ３０は、第１筒状部１１０の側面に設けられている。なお、スイッチ３０は、筐体１０に設けられていればよく、例えば、第２筒状部１２０、固定部１３０、第１押圧部１２又は第２押圧部１３などに設けられていてもよい。
【００４７】
［電池］
電池４０は、光源２０を発光させるための電力源である。電池４０は、例えば、照明装置１に着脱可能に設けられる。つまり、電池４０は、容量が不足した場合は、別の電池に取り替えることができる。
【００４８】
電池４０は、一次電池及び二次電池のいずれでもよい。また、電池４０が二次電池の場合、電池４０は、照明装置１から取り外すことなく充電できてもよい。例えば、照明装置１は、電池４０を充電するための受電部（例えば、ＡＣプラグなど）を備えてもよい。
【００４９】
本実施の形態では、電池４０は、第１筒状部１１０内に取り付けることが可能である。なお、電池４０は照明装置１に取付可能であればよく、例えば、第２筒状部１２０内などに取付可能でもよい。
【００５０】
［機能構成］
続いて、本実施の形態に係る照明装置１の機能構成について、図３を用いて説明する。図３は、本実施の形態に係る照明装置１の機能構成を示すブロック図である。
【００５１】
図３に示すように、照明装置１は、発光部２００と、制御部２１０と、電源部２２０と、操作部２３０とを備える。
【００５２】
発光部２００は、光源２０に相当する。具体的には、発光部２００は、制御部２１０による制御に基づいて、照明光を出射する。
【００５３】
制御部２１０は、点灯制御回路（図１及び図２には示していない）に相当し、光源２０の点灯及び消灯を制御する。具体的には、制御部２１０は、電源部２２０からの電力の供給のオン及びオフを制御する。例えば、操作部２３０が点灯の操作を受けた場合には、制御部２１０は、電源部２２０から電力を発光部２００に供給して、発光部２００を点灯させる。また、操作部２３０が消灯の操作を受けた場合には、制御部２１０は、電源部２２０からの発光部２００への電力の供給を遮断することで、発光部２００を消灯する。
【００５４】
なお、制御部２１０は、発光部２００の調光及び調色を制御してもよい。例えば、制御部２１０は、電源部２２０からの電力の供給量を調節することで、発光部２００の光量を変化させることができる。
【００５５】
電源部２２０は、電池４０に相当する。具体的には、電源部２２０は、発光部２００を点灯させるための電力を発光部２００に供給する。なお、電源部２２０は、充電機能を有してもよい。
【００５６】
操作部２３０は、スイッチ３０に相当する。具体的には、操作部２３０は、ユーザからの照明装置１の点灯及び消灯の操作を受け付ける。
【００５７】
［使用例］
続いて、本実施の形態に係る照明装置１の使用例について説明する。
【００５８】
まず、図４を用いて、照明装置１の設置方法を説明する。図４は、本実施の形態に係る照明装置１の設置方法を示す図である。ここでは、支持面３０１と支持面３０２との間に照明装置１をつっぱらせる例について説明する。
【００５９】
本実施の形態では、支持面３０１及び支持面３０２は、互いに平行になるように配置された面である。具体的には、支持面３０１及び支持面３０２は、建材又は家具などの側面（壁面）である。
【００６０】
図４の（ａ）に示すように、固定部１３０を第１方向（例えば、右回り）に回転させることで、固定部１３０による第２筒状部１２０の締め付けを緩める。これにより、第２筒状部１２０を第１筒状部１１０に出し入れすることができる。すなわち、照明装置１の長さを変更することができる。
【００６１】
次に、図４の（ｂ）に示すように、第２筒状部１２０を伸ばす。具体的には、照明装置１の長さが支持面３０１と支持面３０２との間の距離と略同じ長さになるまで、第２筒状部１２０を第１筒状部１１０から引き出す。
【００６２】
最後に、図４の（ｃ）に示すように、支持面３０２を押圧するように第１押圧部１２を支持面３０２に当接させ、かつ、支持面３０１を押圧するように第２押圧部１３を支持面３０１に当接させた状態で、固定部１３０を第１方向とは反対の第２方向（例えば、左回り）に回転させる。これにより、固定部１３０が第２筒状部１２０を締め付けることで、第２筒状部１２０を第１筒状部１１０に対して固定することができ、照明装置１の長さを固定することができる。
【００６３】
なお、照明装置１は、内部に付勢バネを備えていてもよい。この場合、照明装置１の長さが支持面３０１と支持面３０２との間の距離より少し長くなるように、第２筒状部１２０を第１筒状部１１０から引き出す。その後、固定部１３０を第２方向に回転させることで、照明装置１の長さを固定する。
【００６４】
そして、付勢バネを縮めるようにして照明装置１の長さを支持面３０１と支持面３０２との間の距離より短くなるように押し込みながら、支持面３０１と支持面３０２との間に照明装置１を配置する。照明装置１を縮める力を解放すると、付勢バネによって照明装置１が元の長さに戻ろうとして、第１押圧部１２が支持面３０２を押圧し、第２押圧部１３が支持面３０１を押圧する。これにより、付勢バネによって常に支持面３０１及び３０２を押圧する力が加えられるので、照明装置１が落下しにくくなる。
【００６５】
このようにして、照明装置１を支持面３０１と支持面３０２との間につっぱらせることで配置することができる。支持面３０１及び支持面３０２は互いに対向していればよく、照明装置１は、様々な場所に配置することができる。
【００６６】
図５〜図７はそれぞれ、本実施の形態に係る照明装置１の使用例を示す図である。
【００６７】
例えば、図５に示すように、クローゼット４００の中に照明装置１を配置することができる。このとき、支持面３０１及び３０２は、クローゼット４００の内面である。
【００６８】
これによれば、照明装置１は、クローゼット４００の内部を明るく照らすことができる。また、図５に示すように、照明装置１はいわゆるつっぱり棒であるので、衣服４０１をかけることもできる。照明装置１の照明方向を衣服４０１に向けることで、例えば、ユーザが衣服４０１を選ぶ助けとなり、ユーザ利便性を高めることができる。
【００６９】
また、例えば、図６に示すように、浴室４１０の中に照明装置１を配置することもできる。このとき、支持面３０１及び３０２は、浴室４１０の壁面である。
【００７０】
これによれば、照明装置１は、浴室４１０内を明るく照らすことができる。また、浴室４１０内の照明環境を変更することができる。例えば、備え付けの照明が電球色の場合に、昼白色の照明装置１を利用することで、浴室４１０内の照明環境を変更することができる。
【００７１】
また、図５の場合と同様に、照明装置１には衣服４０１をかけることもできる。したがって、例えば、浴室乾燥機などを利用して洗濯した衣服４０１を乾燥させる際などに、照明装置１を利用することができる。
【００７２】
また、例えば、照明装置１は、床と天井との間に縦置きで配置されてもよい。例えば、図７には、照明装置１を玄関４２０に縦置きで配置する例を示している。このとき、支持面３０１は天井であり、支持面３０２は、床である。
【００７３】
あるいは、照明装置１を家具の上面と天井との間に配置し、地震などが発生した場合の家具の転倒防止に利用することもできる。この場合、地震などによって停電が発生した場合でも、照明装置１が周囲を照射することができるので、避難誘導などに利用することができる。
【００７４】
［まとめ］
以上のように、本実施の形態に係る照明装置１は、２つの支持面３０１及び３０２を押圧することで支持される照明装置であって、長尺状の筐体１０と、筐体１０に設けられた、照明光を発する光源２０と、光源２０の点灯及び消灯を切り替えるスイッチ３０とを備え、筐体１０は、長手方向に伸縮可能な本体部１１と、本体部１１の長手方向の両端にそれぞれ設けられ、２つの支持面３０１及び３０２のそれぞれを押圧する第１押圧部１２及び第２押圧部１３とを備える。
【００７５】
これにより、照明装置１はいわゆるつっぱり棒として、２つの支持面が存在する様々な場所に固定することができる。したがって、予め定められた設置場所以外の場所に照明装置１を比較的自由に固定することができるので、空間の照明設計の自由度を高めることができる。
【００７６】
また、例えば、照明装置１には、電池４０が取付可能であり、光源２０は、照明装置１に取り付けられた電池４０から電力が供給されることで、照明光を発する。
【００７７】
これにより、近くに商用電源（具体的には、コンセント）がない場所であっても、照明装置１を設置することができる。よって、空間の照明設計の自由度を高めることができる。
【００７８】
また、例えば、照明装置１は、さらに、光源２０から発せられる照明光を所定の方向に出射する光出射部１１１を備える。
【００７９】
これにより、所望の方向に光を出射させることができるので、空間の照明設計の自由度を高めることができる。
【００８０】
また、例えば、光源２０は、長手方向に沿ってライン状に照明光を発する。
【００８１】
これにより、所望の方向に光を出射させることができるので、空間の照明設計の自由度を高めることができる。
【００８２】
（その他）
以上、本発明に係る照明装置について、上記実施の形態及びその変形例に基づいて説明したが、本発明は、上記の実施の形態に限定されるものではない。
【００８３】
例えば、上記実施の形態では、照明装置１は、長手方向に沿ってライン状に発光するＬＥＤモジュールを光源２０として備える例について示したが、これに限らない。例えば、照明装置１は、光源２０として点光源を備えてもよい。つまり、照明装置１は、スポットライトのように狭い領域を集中的に照らしてもよい。
【００８４】
また、例えば、上記実施の形態では、照明装置１は、光を所定の方向に出射する例について示したが、これに限らない。照明装置１は、全方向に光を出射してもよい。つまり、照明装置１が出射する光は指向性を有していてもよく、あるいは、指向性を有していなくてもよい。
【００８５】
また、例えば、上記実施の形態では、照明装置１は、第１筒状部１１０の内部に光源２０を設けたが、これに限らない。光源２０は、第２筒状部１２０に設けられてもよく、第１筒状部１１０及び第２筒状部１２０の両方に設けられてもよい。あるいは、光源２０は、第１押圧部１２及び第２押圧部１３の少なくとも一方に設けてもよい。また、光源２０は、筐体１０の内部ではなく、筐体１０の外側面に設けられてもよい。
【００８６】
また、例えば、上記実施の形態では、スイッチ３０は、筐体１０の側面に設けたが、これに限らない。スイッチ３０は、筐体１０とは別体で設けられ、ケーブルなどで接続されていてもよい。つまり、スイッチ３０は、ケーブルなどを介して筐体１０に設けられていてもよい。また、スイッチ３０は、リモコンなどの無線信号を受信し、当該無線信号に応じて点灯及び消灯の操作を受け付けてもよい。
【００８７】
また、例えば、上記実施の形態では、照明装置１には電池４０が取り付け可能な例について示したが、これに限らない。照明装置１は、商用電源又は外部の蓄電池に接続可能でもよい。例えば、照明装置１は、商用電源に接続するためのＡＣプラグと、ＡＣプラグを介して受けた交流電力を直流電力に変換するための電源回路とを備えてもよい。
【００８８】
また、例えば、上記実施の形態では、２つの支持面３０１及び３０２が互いに平行である例について示したが、これに限らない。例えば、２つの支持面は、互いに直交していてもよい。具体的には、照明装置１は、天井と壁とのコーナー部分などに斜めに支持されてもよい。
【００８９】
また、例えば、上記実施の形態では、筐体１０は直管状である例について示したが、これに限らない。筐体１０は、例えば、直管から分岐する分岐部を有してもよく、一例として、端部が二又以上に分かれていてもよい。
【００９０】
また、例えば、照明装置１は、タイマ機能を有してもよい。例えば、制御部２１０は、スイッチ３０が点灯の操作をされてから所定期間経過後には、光源２０を消灯してもよい。
【００９１】
また、例えば、照明装置１は、人間の存在を検知する人感センサを備えてもよい。例えば、照明装置１は、近くに人間を検知したときに光源２０を点灯してもよい。
【００９２】
また、例えば、上記実施の形態では、照明装置１は、ネジ固定式のつっぱり棒である例について示したが、上述したような付勢バネを備えるスプリング式のつっぱり棒でもよい。
【００９３】
また、例えば、照明装置１は、発光素子としてＬＥＤ素子を例に説明したが、半導体レーザなどの半導体発光素子、有機ＥＬ（Ｅｌｅｃｔｒｏ  Ｌｕｍｉｎｅｓｃｅｎｃｅ）又は無機ＥＬなどの発光素子を用いてもよい。
【００９４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９５】
１  照明装置
１０  筐体
１１  本体部
１２  第１押圧部
１３  第２押圧部
２０  光源
３０  スイッチ
４０  電池
１１０  第１筒状部
１１１  光出射部
１２０  第２筒状部
１３０  固定部
３０１、３０２  支持面
【図１】
0006524513.tif 000002
【図２】
0006524513.tif 000003
【図３】
0006524513.tif 000004
【図４】
0006524513.tif 000005
【図５】
0006524513.tif 000006
【図６】
0006524513.tif 000007
【図７】
0006524513.tif 000008